(57)【特許請求の範囲】
【請求項１】
切り抜いた平板体を折り曲げて可撓性の細長い被収容体を環状にして収容する箱体において、その箱体１は第１、第２、第３及び第４の中空四角柱状体で形成され、それらの第１、第２、第３及び第４の中空四角柱状体は、いずれも底板と、その底板の一方に直角に連結する外壁側板と、その外壁側板に直角に連結する内壁天板と、その内壁天板に直角に連結する内壁内側板と、前記底板の他方に直角に連結する台形状の内壁外側板と、その内壁外側板に直角に連結する台形状の外壁天板とで形成されており、これらの第１、第２、第３及び第４の中空四角柱状体は環状に連結されていることを特徴とする箱体。
【請求項２】
前記外壁天板のそれぞれに係合部を設け、外壁側板のそれぞれにその係合部が係合されるための切り込みの被係合部が形成されている請求項１の箱体。
【発明の詳細な説明】
【技術分野】
【０００１】
切り抜いた段ボールの平板体を折り曲げて底板と、天板、とその底板と天板を折り曲げ線で接続する側板とで可撓性の細長い被収容体を環状にして収容する箱体に関し、特に例えば自動車のモールやスピードメーターケーブルあるいは操作用の各種のプール・プッシュケーブル、キャップタイヤケーブルのような可撓性の細長い被収容体を環状にして収容するための箱体に関する。
【背景技術】
【０００２】
物品を収容するために折りたたんで形成する箱体は種々知られ、開示されている（例えば特許文献１、２参照）。
一般的に、箱体は中空角柱状をしており、被収容体を収容して積上げる場合に箱体の側壁を形成する側板が座屈しない荷重以上の積み重ねは出来ない。また、積上げた状態でホークや車両で運搬する場合には単なる静荷重以上の上下荷重に耐える必要もあって積み重ね段数の制限を配慮する必要がある。
【０００３】
箱体の積上げ荷重を向上させるために公知技術では側壁、特に側壁のコーナー部に格別の手段を設けて座屈荷重に耐えるようにしている。
したがって、公知技術では平板体を切り抜いて折り曲げ線に沿って曲折して形成する箱体には適用できない欠点がある。
また、自動車のモールやスピードメーターケーブルのような可撓性の細長い被収容体を収容するための箱体は、それぞれの被収容体の自由長さを収容する細長い箱体を要し、積み重ね時の圧縮荷重、あるいは曲げ荷重に対して相応の処置が必要であり平板体を切り抜いて折り曲げ線に沿って曲折してだけでは所要強度の箱体を形成することは難しい。
【特許文献１】特開２００２−２６５７号公報
【特許文献２】特開２００３−１０４３６７号公報
【発明の開示】
【発明が解決しようとする課題】
【０００４】
本発明は上述した従来技術の問題点に鑑みて提案されたものであり、従って本発明の目的は、平板体を切り抜いて折り曲げ線に沿って曲折するだけで可撓性の細長い被収容体を環状に収容できかつ、充分な荷重に耐えることのできる箱体を提供するにある。
【課題を解決するための手段】
【０００５】
本発明によれば、切り抜いた平板体を折り曲げて可撓性の細長い被収容体を環状にして収容する箱体において、その箱体１は第１、第２、第３及び第４の中空四角柱状体３ａ、３ｂ、３ｃ、３ｄで形成され、それらの第１、第２、第３及び第４の中空四角柱状体３ａ、３ｂ、３ｃ、３ｄは、いずれも底板５ａ、５ｂ、５ｃ、５ｄと、その底板５ａ、５ｂ、５ｃ、５ｄの一方に直角に連結する外壁側板１０ａ、１０ｂ、１０ｃ、１０ｄと、その外壁側板１０ａ、１０ｂ、１０ｃ、１０ｄに直角に連結する内壁天板１２ａ、１２ｂ、１２ｃ、１２ｄと、その内壁天板１２ａ、１２ｂ、１２ｃ、１２ｄに直角に連結する内壁内側板１３ａ、１３ｂ、１３ｃ、１３ｄと、前記底板５ａ、５ｂ、５ｃ、５ｄの他方に直角に連結する台形状の内壁外側板１４ａ、１４ｂ、１４ｃ、１４ｄと、その内壁外側板１４ａ、１４ｂ、１４ｃ、１４ｄに直角に連結する台形状の外壁天板１５ａ、１５ｂ、１５ｃ、１５ｄとで形成されており、これらの第１、第２、第３及び第４の中空四角柱状体３ａ、３ｂ、３ｃ、３ｄは環状に連結されている。
【０００６】
前記外壁天板１５ａ、１５ｂ、１５ｃ、１５ｄのそれぞれに係合部３３ａ、３３ｂ、３３ｃ、３３ｄを設け、外壁側板１０ａ、１０ｂ、１０ｃ、１０ｄのそれぞれにその係合部３３ａ、３３ｂ、３３ｃ、３３ｄが係合されるための切り込みの被係合部１８ａ、１８ｂ、１８ｃ、１８ｄが形成されていることが好ましい。
外壁天板の端部の係合部を内壁天板の被係合部へ係合させることによって、無接着でも底板、外壁側板、内壁内側板、内壁外側板、内壁天板、外壁天板を強く係合させている。
【発明の効果】
【０００７】
以上の構成による本発明によれば、
（ａ）  内壁内側板に、内壁外側板が重なり、内壁天板に外壁天板が重なるので、箱体の強度が増加する利点がある。
（ｂ）  内部外側板及び外壁天板がいずれも平板体の内部で形成されるので、平板体の面積増加、素材増加がなく素材を有効利用できる利点がある。
（ｃ）  外壁天板に係合部を設け内壁天板にその被係合部を設けて係合させれば、無接着で天板、側板及び底板のきっちりした位置きめと組立がなされ、箱体としての強度が確保され、積み重ね段数が増加できる利点がある。
（ｄ）  平板体を平置きして保管し使用時に組み立てれば、保管場所が少なくて済む利点がある。
（ｅ）  平板体を切り抜き折り曲げてかつ無接着で箱体を作成するので、再使用可能な利点がある。
【発明を実施するための最良の形態】
【０００８】
本発明を自動車のモールやスピードメーターケーブルあるいは操作用の各種のプール・プッシュケーブルのような可撓性の細長い被収容体をリング状にして収容する箱体の一実施形態を図を参照して説明する。
図１〜４で箱体１を示しており、図５、６が箱体１を折り曲げて組み立てるための平板体１Ｚを示しており、図７、８が平板体１Ｚを組み立てる態様を説明するための図を示している。
【０００９】
上記箱体における第１、第２、第３及び第４の中空四角柱状体３ａ、３ｂ、３ｃ、３ｄのそれぞれの底板を第１、第２、第３及び第４の底板５ａ、５ｂ、５ｃ、５ｄで示し、底板を総称する場合は添字のない底板５で示す。同様に第１、第２、第３及び第４の底板５ａ、５ｂ、５ｃ、５ｄに連結する外壁側板を第１、第２、第３及び第４の外壁側板１０ａ、１０ｂ、１０ｃ、１０ｄで示し、総称は添え字のない符号で示す。他の部材についても同様である。
【００１０】
箱体１の上面を示す図１と裏面を示す図２と断面を示す図３及び図４において、箱体１は、図１における下部の第１の中空四角柱状体３ａと、右部の第２の中空四角柱状体３ｂと、上部の第３の中空四角柱状体３ｃと、左部の第４の中空四角柱状体３ｄとで環状に連結されて構成されている。
そして、外壁側板１０によって長方形の外壁部が構成され、内壁外側板１４で角孔６の内壁部が構成され、その内部に内壁内側板１３が内側に重なっている。
【００１１】
次に第１の中空四角柱状体３ａを説明する。
図１、図３及び図４において、第１の中空四角柱状体３ａは内壁天板１２が第１の中空四角状体３ａの上部の天板を形成し、その上に台形状の第１の外壁天板１５が重なっていて、その重なった部分が２重天板を形成している。
第１の外壁天板１５のそれぞれの端部は第１の係合部１８に係合していて、第１の中空四角状体３ａとしての強度を高めるとともに、被収容体を収容するための係合前での箱体１の開放容易性を備えていて被収容体を明確、迅速に収容して収容するように形成されている。
【００１２】
符合２４は上面から見える内壁天板１２を折り曲げるための内壁天板折り曲げ線（平板体の展開図５で後記する）であり、符合２２は外側天板１５を折り曲げるための外壁天板折り曲げ線である。
【００１３】
箱体１の裏面を示す図２において、底板５は第１、第２、第３及び第４の底板５ａ、５ｂ、５ｃ、５ｄで形成されていて、底板５のそれぞれが、外壁側板１０を折り曲げるための外壁側板折り曲げ線２３で外側部が形成され、外壁側板１０を折り曲げるための内壁外側板折り曲げ線２１でそれぞれの内側部が形成されている。
図３、４は底板５と内壁天板１２と外壁天板１５の関係を示すための図であって、図３は図１のＸ１−Ｘ１即ち第２の中空四角柱状体３ｂの断面を示し、図４は図１のＹ１−Ｙ１即ち第１の中空四角柱状体３ａの断面を示している。
【００１４】
以下に説明する第１〜第４の中空四角柱状体３ａ、３ｂ、３ｃ、３ｄは、第１と第３の中空四角柱状体３ａと３ｃは対称であり、  第２と第４の中空四角柱状体３ｂと３ｄは対称である。しかしながらこれらの４つの中空四角柱状体３ａ、３ｂ、３ｃ、３ｄは実質的に同様である。
したがって、第３の中空四角柱状体３ｃに関しては第１の中空四角柱状体３ａの説明が援用できる。また、第２の中空四角柱状体３ｂに関する説明は第４の中空四角柱状体３ｄの説明に援用できる。
【００１５】
次に第３図を参照して、中空四角柱状体のうち第２の中空四角柱状体３ｂを例にとってその断面構造について説明する。
図３において、第２の底板５ｂの右端は第２の外壁側板折り曲げ線２３ｂで直角上方に折れ曲って第２の外壁側板１０ｂが立ち上がり、第２の係合部１８ｂを設けた第２の内壁天板折れ曲げ線２４ｂで直角に、即ち第２の底板５ｂに平行に第２の内壁天板１２ｂに連続している。
さらに、第２の内壁天板１２ｂは第２の内壁内側板折り曲げ線２５ｂで直角下方に折れ曲って第２の内壁内側板１３ｂに連続し、第２の内壁内側板１３ｂの端部は第２の底板５ｂの上面に到っている。
【００１６】
第２の底板５ｂの左端は第２の内壁外側板折り曲げ線２１ｂで直角上方に折れ曲って第２の内壁外側板１４ｂに連続し、第２の内壁外側板１４ｂが第２の内壁内側板１３ｂに重なっている。
第２の内壁外側板１４ｂは第２の外壁天板折り曲げ線２２ｂで直角に即ち第２の底板５ｂに平行に第２の外壁天板１５ｂに連続して、第２の外壁天板１５ｂが第２の内壁天板１２ｂに重なっている。
【００１７】
さらに第２の外壁天板１５ｂは第２の係合部折り曲げ線３２ｂで直角下方に折れ曲って第２の係合部３３ｂが第２の被係合部１８ｂに差込んで係合されている。
上記の第２の中空四角柱状体３ｂに対し、対称位置の第４の中空四角柱状体３ｄも実質的に同じである。
【００１８】
図４は図３に対して断面の位置がＹ１−Ｙ１に異なるのみで、図３における第２の底板５ｂを５ａに変え、符合各部の添字を例えば第２の内壁天板１２ｂを１２ａのように変えただけで、断面形状は実質的に同じである。
【００１９】
上記箱体１を、切り抜いた平板体１Ｚを折り曲げて組み立てる態様は後述するが、最初に図５及び図６において平板体１Ｚの展開図を説明する。本例における平板体１Ｚの材質は公知市販の段ボールである。
【００２０】
図５において平板体１Ｚは、底板５と、第１、第２、第３及び第４の外壁側板１０ａ、１０ｂ、１０ｃ、１０ｄと、天部となる第１、第２、第３及び第４の内壁天板１２ａ、１２ｂ、１２ｃ、１２ｄと、第１、第２、第３及び第４の内壁内側板１３ａ、１３ｂ、１３ｃ、１３ｄと、第１、第２、第３及び第４の内壁外側板１４ａ、１４ｂ、１４ｃ、１４ｄと、第１、第２、第３及び第４の外壁天板１５ａ、１５ｂ、１５ｃ、１５ｄと、で縦軸中心線ＣＬｙに対して左右対称に、横軸中心線ＣＬｘに対して上下対称に形成されている。以下に上記各部分について説明する。
【００２１】
前記底板５は、外壁側板折り曲げ線２３で正長方形に形成されていて、その底板５は外壁側板折り曲げ線２３のそれぞれに接する底板５の領域が第１、第２、第３及び第４の底板５ａ、５ｂ、５ｃ、５ｄで形成されている。
【００２２】
以下、第１の中空四角柱状体３ａについて説明する。
前記第１の底板５ａの内方に前記第１の外壁側板折り曲げ線２３ａに平行な第１の内壁外側板折り曲げ線２１ａが設けられている。
この第１の内壁外側板折り曲げ線２１は折り曲げ組立後の箱体１では空隙を形成する正長方形の角孔６の一辺となるように形成されている。
【００２３】
前記第１の外壁側板折り曲げ線２３ａの外方に第１の外壁側板１０ａが接続され、その第１の外壁側板１０ａに第１の内壁天板折り曲げ線２４ａを介して第１の内壁天板１２ａ、が接続されている。
【００２４】
その第１の内壁天板１２ａに第１の内壁内側板折り曲げ線２５ａを介して第１の内壁内側板１３ａが接続されている。
【００２５】
前記第１の内壁外側板折り曲げ線２１ａに、折り曲げて組み立てた際に前記第１の内壁内側板１３ａに重なる第１の内壁外側板１４ａが接続されている。
【００２６】
第１の内壁外側板１４ａは第１の外壁天板折り曲げ線２２ａによって台形状の第１の外壁天板１５ａに接続されている。
第１の外壁天板１５ａは折り曲げて組み立てた際に第１の内壁天板１２ａの上に重なるように形成されている。
【００２７】
第１の内壁天板１２ａは、第２、第４の外壁側板折り曲げ線２３ｂ、２３ｄの延長線上の縁線４３ａ、４３ａの間の長さ寸と、第１の内壁天板折り曲げ線２４ａ、第１の内壁内側板折り曲げ線２５ａの間の幅寸で囲まれた長方形に形成されている。
そして、第１の内壁天板折り曲げ線２４ａに重なって切り込み線による第１の被係合部１８ａが第１の係合部３３ａに相応する部位に形成されている。
【００２８】
第１の内壁内側板１３ａは、第１の内壁内側板折り曲げ線２５ａと、その第１の内壁内側板折り曲げ線２５ａに平行な縁線４５ａとで第１の外壁側板１０ａより板厚分、本例では約２ｍｍだけ少ない幅寸に、角孔６と同じ幅長さで形成されている。
【００２９】
第１の外壁側板１０ａは、第１の内壁天板１２ａと同じ長さに、幅は箱体１としての所定の幅寸で形成されている。
【００３０】
第１の内壁外側板１４ａは、下底を第１の内壁外側板折れ曲げ線２１ａ、上底を第１の外壁天板折り曲げ線２２ａとする台形に形成され、第１の外壁側板１０ａより板厚分、本例では約２ｍｍだけ少ない幅寸に形成されている。
【００３１】
図６は外壁天板１５とその近傍の拡大詳細図である。
第１の外壁天板１５ａは、第１の外壁天板折り曲げ線２２ａを下底とし、第１の外壁天板折り曲げ線２２ａに平行な第１の縁線３１ａを上底とする正台形に形成されていて、下底と上底は第１の内壁外側板１４ａの下端部に到る斜めの切り抜き線３４ａ、３４ｂで接続されている。
【００３２】
第１の縁線３１ａは中央部が第１の係合部折り曲げ線３２ａで接続されていて、その第１の係合部折り曲げ線３２ａに第１の係合部３３ａが接続されている。
第１の係合部３３ａは第２の縁線３４ａで端部を形成して後記する第１の被係合部１８ａに係合する様に形成され、左右に突出した第１の耳部３５ａ、３５ａで係合抜けがないように形成されている。
【００３３】
上記第１の中空四角柱状体３ａにかかわる第１の底板５ａ、第１の内壁天板１２ａ、第１の内壁内側板１３ａ、第１の外壁側板１０ａ、第１の内壁外側板１４ａに対して、第３の中空四角柱状体３ｃにかかわる第３の底板５ｃ、第３の内壁天板１２ｃ、第３の内壁内側板１３ｃ、第３の外壁側板１０ｃ、第３の内壁外側板１４ｃは、横軸ＣＬｘに対称に形成されている。
【００３４】
第２の中空四角柱状体３ｂは上記第１の中空四角柱状体３ａと実質的に同じであるが、図５及び図６を参照して、１部の異なる形態も含めた主要部について以下に説明する。
【００３５】
第２の内壁天板１２ｂは、第２の内壁天板折り曲げ線２４ｂを下底とし、第２の内壁外側板折り曲げ線２１ｂと同長の第２の内壁内側板折り曲げ線２５ｂを上底とし、高さを代示する斜めの縁線４６ｂとで正台形に形成されている。その実高さは第２の内壁外側板折り曲げ線２１ｂと第２の外壁側板折り曲げ線２３ｂの間隔と同じである。
そして、第２の内壁天板折り曲げ線２４ｂに重なって切り込み線による第２の被係合部１８ｂが第２の係合部３３ｂに相応する部位に形成されている。
【００３６】
第２の内壁内側板１３ｂは、第２の内壁内側板折り曲げ線２５ｂとその第２の内壁内側板折り曲げ線２５ｂに平行な縁線４５ｂとで第２の外壁側板１０ｂより板厚分、本例では約２ｍｍだけ少ない幅寸に、角孔６と同じ長さで形成されている。
【００３７】
第２の外壁側板１０ｂは、第２の内壁天板１２ｂの下底の第２の内壁天板折り曲げ線２４ｂと同じ長さで、箱体１としての所定の長さで形成されている。
【００３８】
第２の内壁外側板１４ｂは、下底を第２の内壁外側板折り曲げ線２１ｂ、上底を第２の外壁天板折り曲げ線２２ｂとする台形に形成され、第２の外壁側板１０ｂより板厚分、本例では約２ｍｍ少ない幅寸に形成されている。
【００３９】
第２の外壁天板１５ｂは、第２の外壁天板折り曲げ線２２ｂを下底とし、その第２の外壁外天板折り曲げ線２２ｂと平行な仮想線３６ｂを上底とする正台形に形成されていて、下底と上底は第２の内壁外側板１４ｂの端部に到る斜めの切り抜き線３４ｂ、３４ｃとそれぞれの延長線３７ｂ、３７ｃとで接続されている。延長線３７ｂ、３７ｃは縁線でもある。
【００４０】
前記仮想線３６ｂに第２の係合部板折り曲げ線３２ｂを設けた第２の係合部３３ｂが接続されている。
第２の係合部３３ｂは切り抜き線でもある第３の縁線３４ｂで端部を形成して後記する第２の被係合部１８ｂに係合するする様に形成され、左右に突出した第２の耳部３５ｂで係合抜けがないように形成されている。
【００４１】
上記第２の中空四角柱状体３ｂに対して、第４の中空四角柱状体３ｄは、縦軸ＣＬｙに対して対称に形成されている。従って第１の中空四角柱状体３ａに対しては縦軸ＣＬｙ、横軸ＣＬｘの交点を極座標の原点として、３／２πラジアン（２７０度）傾いた位置に形成されている。
【００４２】
上記の各折り曲げ線は、押圧して段ボールの板厚を減少させてもよいし、板厚の適宜の深さへの切り込みでも、あるいは切断の断絶でもいずれでもよい。
【００４３】
上記の展開図５、６で示された平板体１Ｚを箱体１に組み立てた場合の完成図が前記の図１、２、３、４である。
図７、８は、展開図５、６の平板体１を組み立てる態様を説明するための図である。
【００４４】
図７及び図１〜図６を参照して、最初に平板体１Ｚの第３の底板５ｃの関係する部位を折り曲げて第３の中空四角柱状体３ｃを組み立てる。
（１）第３の内壁内側板１３ｃを第３の内壁天板１２ｃに対して第３の内壁内側板折り曲げ線２５ｃにそって直角上方、図においては紙面に対して垂直上方に折り曲げる。これによって第３の内壁内側板１３ｃと第３の内壁天板１２ｃは直角になる。
（２）ついで、第３の内壁天板１２ｃを第３の内壁天板折り曲げ線２４ｃにそって第３の外壁側板１０ｃに対して直角に折り曲げる。ここまでで、第３の内壁内側板１３ｃは第３の外壁側板１０ｃに平行になる。
（３）ついで、第３の外壁側板１０ｃを第３の外壁側板折り曲げ線２３ｃにそって第３の底板５ｃに対して直角に折り曲げる。これによって、第３の内壁天板１２ｃは第３の底板５ｃに平行になる。また、第３の内壁内側板１３ｃが第３の底板５ｃに直角になり、端部の縁線４５ｃが第３の底板５ｃに到って接する。
（４）ついで、第３の外壁側板折り曲げ線２３ｃにそって第３の内側外壁板１４ｃを直角上方、図においては紙面に対して垂直上方に折り曲げる。これによって第３の内側外壁板１４ｃと第３の底板５ｃは直角になる。
（５）ついで、第３の外壁天板折り曲げ線２２ａにそって第３の外壁天板１５ｃを第３の内壁天板１２ｃに重なるように直角に折り曲げる。
（６）ついで第３の係合部折り曲げ線３２ｃを直角に折り曲げて第３の係合部３３ｃを第３の被係合部１８ｃに係合させる。
【００４５】
ここまでで、底板５ｃに関連する部位の折り曲げ作業は完了し中空四角柱状体３ｃが形成される。
図７はここまでの手順が完了した状態を示している。即ち、台形状の第３の外壁天板１５ｃが第３の内壁天板１２ｃの上面に重なり、第３の外壁側板１０ｃで外側部が形成され、第３の外壁天板折り曲げ線２２ｃで下方に折り曲げられた第３の内壁外側板１４ｃが第３の内壁内側板１３ｃに重なって角孔６の内側部が形成されている。その他は図５、図６の展開図と同じである。
【００４６】
上記の手順を第１の底板５ａに対して同様に行う。図示しないが第３の底板５ｃ側と対称になる。
【００４７】
次に図８、図１〜６を参照して、図７の状態に加えて第２の底板５ｂの関係する部位を折り曲げ第２の中空四角柱状体３ｂを組み立てる。前記第３の底板５ｃに対する組立態様と同様なので簡略に説明する。
（１）第２の内壁内側板１３ｂを第２の内壁天板１２ｂに対して第２の内壁内側板折り曲げ線２５ｂにそって直角上方、図においては紙面の上方に折り曲げる。
（２）ついで、第２の内壁天板１２ｂを第２の内壁天板折り曲げ線２４ｂにそって第２の外壁側板１０ｃに対して直角に折り曲げる。
（３）ついで、第２の外壁側板１０ｂを第２の外壁側板折り曲げ線２３ｂにそって第２の底板５ｂに対して直角に折り曲げ、第２の内壁天板１２ｂを第２の底板５ｃに平行にする。このとき前記第３の底板５ｃに対する手順で折り曲げられた第３の内壁天板１２ｃの上に第２の外壁天板１２ｂを重ねる。
（４）ついで、第２の底板５ｂの第２の外壁側板折り曲げ線２１ｂにそって第２の内壁外側板１４ｂを直角上方、図においては紙面の上方に折り曲げる。これによって第２の内壁外側板１４ｂと第２の底板５ｂは直角になる。
（５）ついで、第２の外壁天板折り曲げ線２２ｂにそって第２の外壁天板１５ｂを第２の内壁天板１２ｂに重なるように直角に折り曲げる。
（６）ついで第２の係合部折り曲げ線３２ｂを直角に折り曲げて第２の係合部３３ｂを第２の被係合部１８ｂに係合させる。
【００４８】
ここまでで、第２の底板５ｂ側の折り曲げ作業は完了し第２の中空四角柱状体３ｂが形成される。
図８はここまでの手順が完了した状態を示している。
即ち、第２の中空四角柱状体３ｂの第２の内壁天板１２ｂが第３の中空四角柱状体３ｃの第３の内壁天板１２ｃの上に重なって第２の中空四角状体３ｂと第３の中空四角柱状体３ｃとが直角に連結される。
また、台形状の第２の外壁天板１５ｂが第２の内壁天板１２ｂの上面に重なり、第２の外壁側板１０ｂで外側部が形成される。
【００４９】
また、第２の外壁天板折り曲げ線２２ｂで下方に折り曲げられた第２の内壁外側板１４ｂが第１の内壁内側板１３ｂに重なって角孔６の内側部が構成されている。その他は図５、６の展開図と同じである。
【００５０】
上記の手順を第４の底板５ｄ側に対して同様に行う。図示しないが底板５ｂ側と対称になる。
このようにして第１、第２、第３及び第４の中空四角柱状体３ａ、３ｂ、３ｃ、３ｄを組立て、環状に連結した結果が前記の箱体１の組立図１、２、３、４である。
【００５１】
上記のようにして組み立てた箱体１を前記手順（６）の係合前に一旦、半開き状態に戻して、モールやスピードメーターケーブルのような可撓性の細長い被収容体を環状に収容して、箱体１に組みもどして第１、２、３、４の係合部３３ａ、３３ｂ、３３ｃ、３３ｄを第１、２、３、４の被係合部１８ａ、１８ｂ、１８ｃ、１８ｄに係合させる。
【００５２】
なお、箱体の組み立ての態様は任意であり、各中空四角柱状体３ａ、３ｂ、３ｃ、３ｄの折り曲げの順番は任意に選択できる。
【図面の簡単な説明】
【００５３】
【図１】本発明の箱体の実施形態を示す上面図である。
【図２】図１の裏面図である。
【図３】図１のＸ１−Ｘ１断面図である。
【図４】図１のＹ１―Ｙ１断面図である。
【図５】図１の箱体を組むための平板体の展開図である。
【図６】図５の平板体の外壁天板近傍の拡大詳細図である。
【図７】箱体組立を示す図であって、第３の底板近傍が折り曲げられた状態の図である。
【図８】箱体組立を示す図であって、図７に加えて第２の底板近傍が折り曲げられた状態の図である。
【符号の説明】
【００５４】
１・・・・箱体
１Ｚ・・・平板体
３ａ、ｂ、ｃ、ｄ・・・第１、２、３、４の中空四角柱状体
５・・・底板
５ａ、ｂ、ｃ、ｄ・・・第１、２、３、４の底板
６・・・・・・・・・・角孔
１０ａ、ｂ、ｃ、ｄ・・第１、２、３、４の外壁側板
１２ａ、ｂ、ｃ、ｄ・・第１、２、３、４の内壁天板
１３ａ、ｂ、ｃ、ｄ・・第１、２、３、４の内壁内側板
１４ａ、ｂ、ｃ、ｄ・・第１、２、３、４の内壁外側板
１５ａ、ｂ、ｃ、ｄ・・第１、２、３、４の外壁天板
１８ａ、ｂ、ｃ、ｄ・・第１、２、３、４の被係合部
２１ａ、ｂ、ｃ、ｄ・・第１、２、３、４の内壁外側板折り曲げ線  
２２ａ、ｂ、ｃ、ｄ・・第１、２、３、４の外壁天板折り曲げ線  
２３ａ、ｂ、ｃ、ｄ・・第１、２、３、４の外壁側板折り曲げ線  
２４ａ、ｂ、ｃ、ｄ・・第１、２、３、４の内壁天板折り曲げ線  
２５ａ、ｂ、ｃ、ｄ・・第１、２、３、４の内壁内側板折り曲げ線  
３２ａ、ｂ、ｃ、ｄ・・第１、２、３、４の係合部折り曲げ線  
３３ａ、ｂ、ｃ、ｄ・・第１、２、３、４の係合部
３５ａ、ｂ、ｃ、ｄ・・第１、２、３、４の耳部
【図１】
0004688104.tif 000002
【図２】
0004688104.tif 000003
【図３】
0004688104.tif 000004
【図４】
0004688104.tif 000005
【図５】
0004688104.tif 000006
【図６】
0004688104.tif 000007
【図７】
0004688104.tif 000008
【図８】
0004688104.tif 000009